(57)【要約】      （修正有）【課題】冷蔵室内に冷却器およびファンを適切にレイアウトする。【解決手段】冷蔵庫はファン１６および冷却器１８を備えている。これら冷却器１８およびファン１６は冷蔵室２内に設けられたものである。ファン１６は冷却器１８の上側に冷却器１８に対して上下方向に並べて配置されたものであり、冷蔵室２内の空気を冷却器１８を通して循環させる。【選択図】図１
2015007496.tif 000002
【特許請求の範囲】
【請求項１】
食品が収納される冷蔵室と、
前記冷蔵室内に設けられ、前記冷蔵室内の空気を冷却する冷却器と、
前記冷蔵室内に設けられ、前記冷却器の上側に前記冷却器に対して上下方向に並べて配置されたものであって前記冷蔵室内の空気を前記冷却器を通して循環させるファンを備えたことを特徴とする冷蔵庫。
【請求項２】
前記冷蔵室内に設けられ、前記冷蔵室内に開口する入口および当該入口に比べて上側で前記冷蔵室内に開口する出口を有する冷気ダクトを備え、
前記冷却器および前記ファンは、前記冷気ダクトの入口に比べて上側であって前記冷気ダクトの内部に設けられ、
前記ファンは、前記冷蔵室内の空気を前記冷気ダクトの入口と前記冷却器と前記冷気ダクトの出口を当該順に通して循環させることを特徴とする請求項１に記載の冷蔵庫。
【請求項３】
前記冷蔵室内には、前記冷気ダクトの入口の前側に位置して食品容器が収納されていることを特徴とする請求項２に記載の冷蔵庫。
【請求項４】
前記冷気ダクトには、幅広部および当該幅広部に比べて下側に配置されたものであって当該幅広部に比べて前後方向の幅寸法が小さな幅狭部が設けられ、
前記冷却器は、前記冷気ダクトの幅狭部内に設けられ、
前記ファンは、前記冷気ダクトの幅広部内に設けられていることを特徴とする請求項２および３のいずれかに記載の冷蔵庫。
【請求項５】
前記冷蔵室内に設けられ、前記冷蔵室内に開口する入口および当該入口に比べて上側で前記冷蔵室内に開口する出口を有する冷気ダクトを備え、
前記冷却器および前記ファンは、前記冷気ダクトの入口に比べて下側であって前記冷気ダクトの外部に互いに隣接して設けられ、
前記ファンは、前記冷蔵室内の空気を前記冷却器と前記冷気ダクトの入口と前記冷気ダクトの出口を当該順に通して循環させることを特徴とする請求項１に記載の冷蔵庫。
【請求項６】
前記冷蔵室内に設けられ、前記冷蔵室内に開口する入口および当該入口に比べて上側で前記冷蔵室内に開口する出口を有する冷気ダクトを備え、
前記冷却器は、前記冷気ダクトの入口に比べて下側であって前記冷気ダクトの外部に設けられ、
前記ファンは、
前記冷気ダクトの出口に比べて上側であって前記冷気ダクトの外部に設けられ、
前記冷蔵室内の空気を前記冷却器と前記冷気ダクトの入口と前記冷気ダクトの出口を当該順に通して循環させることを特徴とする請求項１に記載の冷蔵庫。
【請求項７】
前記冷却器の前側に設けられた冷却器カバーを備え、
前記冷却器カバーには、前記冷却器に比べて下側に位置して前記冷蔵室内の空気を吸引するための吸込口が設けられていることを特徴とする請求項６に記載の冷蔵庫。
【請求項８】
前記冷却器の前側に設けられた冷却器カバーを備え、
前記冷却器カバーには、前記冷却器の前側に位置して前記冷蔵室内の空気を吸引するための吸込口が設けられていることを特徴とする請求項６に記載の冷蔵庫。
【発明の詳細な説明】
【技術分野】
【０００１】
実施例は冷蔵庫に関する。
【背景技術】
【０００２】
上記冷蔵庫には冷却器およびファンを備えたものがある。冷却器は空気を冷却するものであり、ファンは貯蔵室内の空気を冷却器を通して循環させることで冷気を生成する。
【先行技術文献】
【特許文献】
【０００３】
【特許文献１】特開２０１２−１７２９３５号公報
【発明の概要】
【発明が解決しようとする課題】
【０００４】
特許文献１には冷却器およびファンのレイアウトが開示されている。この特許文献１は冷却器を冷蔵室内に配置すると共にファンを野菜室内に配置する場合のレイアウトが開示されたものであり、冷却器およびファンを１つの冷蔵室内に配置する場合のレイアウトが開示されたものでない。
【０００５】
本発明は上記事情に鑑みてなされたものであり、１つの冷蔵室内に冷却器およびファンを最適にレイアウトすることが可能な冷蔵庫を提供することを目的とするものである。
【課題を解決するための手段】
【０００６】
実施例の冷蔵庫は、食品が収納される冷蔵室と、前記冷蔵室内に設けられ前記冷蔵室内の空気を冷却する冷却器と、前記冷蔵室内に設けられ前記冷却器の上側に前記冷却器に対して上下方向に並べて配置されたものであって前記冷蔵室内の空気を前記冷却器を通して循環させるファンを備えたものである。
【図面の簡単な説明】
【０００７】
【図１】実施例１を示す図（冷蔵庫の内部構成を示す断面図）
【図２】実施例２を示す図（図１相当図）
【図３】実施例３を示す図（図１相当図）
【図４】実施例４を示す図（図１相当図）
【発明を実施するための形態】
【実施例１】
【０００８】
図１のキャビネット１は前面が開口する縦長な箱状をなすものであり、左側板と右側板と底板と天板と後板を有している。これら左側板〜後板のそれぞれは中空状をなす合成樹脂製のケース内に真空断熱パネルを収納することで構成されたものであり、左側板〜後板のうち隣接する２つの板間には発泡スチロールが接合されている。これら複数の発泡スチロールのそれぞれは隣接する２つの板間を気密状態に塞ぐものであり、断熱性の接合部材に相当する。
【０００９】
キャビネット１内には、図１に示すように、冷蔵室２が形成されている。この冷蔵室２はキャビネット１内の最上部に配置されたものであり、キャビネット１には冷蔵室２の前方に位置してＲ扉３が開閉可能に装着されている。このキャビネット１内には冷凍室４および野菜室が形成されている。冷凍室４は冷蔵室２の下方に断熱仕切壁５を介して配置されたものであり、キャビネット１には冷凍室４の前方に位置してＦ扉６が開閉可能に装着されている。野菜室は冷凍室４の下方に断熱仕切壁を介して配置されたものであり、キャビネット１には野菜室の前方に位置してＶ扉が開閉可能に装着されている。
【００１０】
キャビネット１の後板には、図１に示すように、Ｒダクトカバー７が固定されている。このＲダクトカバー７は冷蔵室２内に配置されたものであり、キャビネット１の後板およびＲダクトカバー７間には上下方向へ延びる通路状のＲ冷気ダクト８が形成されている。このＲ冷気ダクト８は冷気ダクトに相当するものであり、幅広部９および幅狭部１０を有している。幅広部９はＲ冷気ダクト８の上端部に位置する部分であり、幅広部９の上端部には前に向けて開口する出口１１が形成されている。幅狭部１０はＲ冷気ダクト８のうち幅広部９を除く残りの部分であり、幅広部９の下側に配置されている。この幅狭部１０は幅広部９に比べて前後方向の幅寸法が小さく設定されたものであり、幅狭部１０の下端部には前に向けて開口する入口１２が形成されている。
【００１１】
冷蔵室２内には、図１に示すように、仕切板１３が固定されている。この仕切板１３は透明な非断熱性の合成樹脂を材料に成形されたものであり、水平な板状をなしている。この仕切板１３は冷蔵室２内の下端部にチルドエリア１４を区画するものであり、チルドエリア１４内にはチルドケース１５が収納されている。このチルドケース１５は透明な非断熱性の合成樹脂を材料に成形されたものであり、上面が開口する箱状をなしている。このチルドケース１５はチルドエリア１４内に収納された収納状態およびチルドエリア１４内から前へ引出された引出し状態間で操作可能にされたものであり、チルドケース１５内に対してはチルドケース１５の引出し状態で上面を通して食品が出し入れされる。このチルドケース１５は食品容器に相当するものであり、Ｒ冷気ダクト８の入口１２の前側に配置されている。
【００１２】
Ｒ冷気ダクト８の幅広部９内には、図１に示すように、Ｒファン１６が収納されている。このＲファン１６は前後方向の幅寸法がＲ冷気ダクト８の幅狭部１０に比べて大きく設定されたものであり、Ｒファンモータ１７の回転軸に連結されている。このＲファンモータ１７はＲ冷気ダクト８の幅広部９内に固定されたものであり、Ｒファン１６はＲファンモータ１７が運転状態とされることで回転操作される。このＲファン１６の回転状態では冷蔵室２内の空気が入口１２からＲ冷気ダクト８内に吸引される。この空気はＲ冷気ダクト８内を上昇し、出口１１から冷蔵室２内に吐出される。このＲファン１６はファンに相当する。
【００１３】
Ｒ冷気ダクト８の幅狭部１０内には、図１に示すように、Ｒエバポレータ１８が固定されている。このＲエバポレータ１８はＲファン１６に比べて下側に配置されたものであり、Ｒ冷気ダクト８の入口１２はＲエバポレータ１８に比べて下側に配置されている。このＲエバポレータ１８は冷媒管の表面に複数のフィンを接合することで構成されたものである。このＲエバポレータ１８の冷媒管は上下方向に隙間を介して配列された複数の水平部を有するものであり、複数のフィンのそれぞれは複数の水平部に接合された垂直な板状をなしている。このＲエバポレータ１８は冷蔵室２内の空気を冷却するものであり、Ｒファン１６が回転操作された場合には空気がＲ冷気ダクト８内を上昇するときにＲエバポレータ１８に接触することで冷却され、Ｒ冷気ダクト８の出口１１から冷蔵室２内に冷気が吐出される。このＲエバポレータ１８は冷却器に相当する。
【００１４】
キャビネット１の天板には、図１に示すように、基板カバー１９が固定されている。この基板カバー１９は冷蔵室２内に配置されたものであり、基板カバー１９およびキャビネット１の天板間には密閉された空間状の基板室２０が形成されている。この基板室２０は水平な基板２１が収納されたものであり、基板２１には電気部品が搭載されている。
【００１５】
上記実施例１によれば次の効果を奏する。
冷蔵室２内にＲファン１６およびＲエバポレータ１８を上下方向に並べて配置した。従って、冷蔵室２内にＲファン１６およびＲエバポレータ１８を前後方向に重ねて配置する場合に比べて冷蔵室２の有効な前後方向の幅寸法が大きくなるので、Ｒファン１６およびＲエバポレータ１８が１つの冷蔵室２内に最適にレイアウトされる。しかも、真空断熱パネルを基材としてキャビネット１を構成したので、キャビネット１の断熱性能が向上する。従って、キャビネット１の後板の前後方向の厚さ寸法を薄くできるので、この点からも冷蔵室２の有効な前後方向の幅寸法が大きくなる。
【００１６】
Ｒ冷気ダクト８内にＲファン１６およびＲエバポレータ１８を上下方向に並べて配置した。従って、Ｒ冷気ダクト８内にＲファン１６およびＲエバポレータ１８を前後方向に重ねて配置する場合に比べてＲ冷気ダクト８の前後方向の幅寸法が小さくなるので、冷蔵室２の有効な前後方向の幅寸法がＲ冷気ダクト８の前後方向の幅寸法の影響で小さくなることが抑えられる。
【００１７】
チルドケース１５を冷蔵室２内のうちＲ冷気ダクト８の入口１２の前側に収納したので、Ｒ冷気ダクト８が縦長なものとなる。従って、Ｒ冷気ダクト８の前後方向の幅寸法を大きくすることでＲ冷気ダクト８の容積を確保する必要がなくなるので、この点からも冷蔵室２の有効な前後方向の幅寸法が小さくなることが抑えられる。
【００１８】
Ｒ冷気ダクト８に幅広部９および幅狭部１０を設け、Ｒファン１６を幅広部９内に収納すると共にＲエバポレータ１８を幅狭部１０内に収納したので、冷蔵室２の有効な前後方向の幅寸法がＲファン１６の前後方向の幅寸法の影響で小さくなることが幅広部９の前側に止められる。
【００１９】
上記実施例１においては、Ｒファン１６の前後方向の幅寸法をＲ冷気ダクト８の幅狭部１０と同等に設定しても良い。
【実施例２】
【００２０】
キャビネット１の後板には、図２に示すように、Ｒエバカバー３１が固定されている。このＲエバカバー３１は冷蔵室２内の下端部に配置されたものであり、Ｒエバカバー３１およびキャビネット１の後板間には冷却室３２が形成されている。この冷却室３２は入口３３および出口３４を有するものである。入口３３は冷却室３２の下端部に配置されたものであり、前側のチルドエリア１４内に向けて開口している。出口３４は冷却室３２の上端部に配置されたものであり、上に向けて開口している。
【００２１】
冷却室３２内には、図２に示すように、Ｒファン１６とＲファンモータ１７とＲエバポレータ１８が収納されている。Ｒエバポレータ１８は冷却室３２の入口３３に比べて上側に配置されたものであり、Ｒファン１６およびＲファンモータ１７はＲエバポレータ１８に比べて上側に配置されたものであり、Ｒファン１６が回転操作された場合には冷蔵室２内の空気が入口３３から冷却室３２内に吸引される。この空気はＲエバポレータ１８に接触しながら冷却室３２内を上昇することで冷却され、出口３４から吐出される。
【００２２】
キャビネット１の後板には、図２に示すように、冷蔵室２内に位置してＲ冷気ダクト３５が固定されている。このＲ冷気ダクト３５は下端面および上端面のそれぞれが開口する通路状をなすものであり、前後方向の幅寸法がＲエバカバー３１に比べて小さく設定されている。このＲ冷気ダクト３５の下端面は冷却室３２の出口３４に接続されており、冷気は冷却室３２の出口３４からＲ冷気ダクト３５の下端面を通してＲ冷気ダクト３５内に進入し、Ｒ冷気ダクト３５の上端面から冷蔵室２内に吐出される。このＲ冷気ダクト３５は冷気ダクトに相当し、Ｒ冷気ダクト３５の下端面は冷気ダクトの入口に相当し、Ｒ冷気ダクト３５の上端面は冷気ダクトの出口に相当する。
【００２３】
上記実施例２によれば次の効果を奏する。
Ｒファン１６およびＲエバポレータ１８をＲ冷気ダクト３５の外部に配置すると共にＲ冷気ダクト３５の入口に比べて下側に上下方向に並べて隣接配置したので、Ｒファン１６およびＲエバポレータ１８のそれぞれの前後方向の幅寸法の影響で冷蔵室２の有効な前後方向の幅寸法が小さくなることがＲ冷気ダクト３５に比べて下側の一部に止められる。
【実施例３】
【００２４】
キャビネット１の後板には、図３に示すように、冷却器カバーに相当するＲエバカバー４１が固定されている。このＲエバカバー４１は冷蔵室２内の下端部に配置されたものであり、Ｒエバカバー４１およびキャビネット１の後板間にはエバ室４２が形成されている。このエバ室４２は入口４３および出口４４を有するものである。出口４４はエバ室４２の上端部に配置されたものであり、上に向けて開口している。入口４３はエバ室４２の下端部に配置されたものであり、前に向けて開口している。この入口４３は冷却器カバーの吸込口に相当する。
【００２５】
キャビネット１の後板には、図３に示すように、Ｒファンカバー４５が固定されている。このＲファンカバー４５は冷蔵室２内の上端部に配置されたものであり、Ｒファンカバー４５およびキャビネット１の後板間にはファン室４６が形成されている。このファン室４６は入口４７および出口４８を有するものである。入口４７はファン室４６の下端部に配置されたものであり、下に向けて開口している。出口４８はファン室４６の上端部に配置されたものであり、前に向けて開口している。
【００２６】
キャビネット１の後板には、図３に示すように、Ｒ冷気ダクト４９が固定されている。このＲ冷気ダクト４９は上端面および下端面のそれぞれが開口する通路状をなすものであり、Ｒ冷気ダクト４９の前後方向の幅寸法はＲエバカバー４１の前後方向の幅寸法およびＲファンカバー４５の前後方向の幅寸法のそれぞれに比べて小さく設定されている。このＲ冷気ダクト４９の下端面はエバ室４２の出口４４に接続されており、Ｒ冷気ダクト４９の上端面はファン室４６の入口４７に接続されている。このＲ冷気ダクト４９は冷気ダクトに相当し、Ｒ冷気ダクト４９の下端面は冷気ダクトの入口に相当し、Ｒ冷気ダクト４９の上端面は冷気ダクトの出口に相当する。
【００２７】
エバ室４２内には、図３に示すように、Ｒエバポレータ１８が固定されている。このＲエバポレータ１８はエバ室４２の入口４３に比べて上側に配置されたものであり、エバ室４２の出口４４に比べて下側に配置されている。このＲエバポレータ１８の前面はＲエバカバー４１の後面に接触するものであり、Ｒエバポレータ１８の後面およびキャビネット１の後板の前面間には隙間が形成されている。
【００２８】
ファン室４６内には、図３に示すように、Ｒファン１６およびＲファンモータ１７が収納されており、Ｒファン１６が回転操作された場合には冷蔵室２内の空気がエバ室４２の入口４３からエバ室４２内に吸引され、Ｒエバポレータ１８に接触しながら上昇することで冷却された後にエバ室４２の出口４４からＲ冷気ダクト４９の下端面を通してＲ冷気ダクト４９内に吐出される。この冷気はＲ冷気ダクト４９内を上昇した後にＲ冷気ダクト４９の上端面からファン室４６の入口４７を通してファン室４６内に進入し、ファン室４６の出口４８から冷蔵室２内に吐出される。
【００２９】
上記実施例３によれば次の効果を奏する。
Ｒファン１６をＲ冷気ダクト４９の外部に配置すると共にＲ冷気ダクト４９の出口に比べて上側に配置したので、Ｒファン１６の前後方向の幅寸法の影響で冷蔵室２の有効な前後方向の幅寸法が小さくなることがＲ冷気ダクト４９に比べて上側の一部に止められる。しかも、Ｒエバポレータ１８をＲ冷気ダクト４９の外部に配置すると共にＲ冷気ダクト４９の入口に比べて下側に配置したので、Ｒエバポレータ１８の前後方向の幅寸法の影響で冷蔵室２の有効な前後方向の幅寸法が小さくなることがＲ冷気ダクト４９に比べて下側の一部に止められる。
【００３０】
Ｒエバカバー４１の入口４３をＲエバポレータ１８に比べて下側に配置したので、冷蔵室２内の空気がエバ室４２内を上昇することでＲエバポレータ１８の上下方向の全域に接触する。従って、冷蔵室２内の空気のＲエバポレータ１８に対する接触面積が増えるので、冷却効率が高まる。
【実施例４】
【００３１】
Ｒエバカバー４１には、図４に示すように、Ｒエバポレータ１８の前側に位置して入口５１が形成されている。この入口５１は前に向けて開口する複数の貫通孔からなるものであり、Ｒファン１６が回転操作された場合には冷蔵室２内の空気が入口５１からエバ室４２内に吸引される。この入口５１は冷却器カバーの吸込口に相当する。
【００３２】
上記実施例４によれば次の効果を奏する。
Ｒエバカバー４１の入口５１をＲエバポレータ１８の前側に配置したので、Ｒエバポレータ１８に比べて下側に入口を配置する場合に比べてＲファン１６および入口５１間の距離が短縮される。従って、冷蔵室２内を空気が入口５１からＲファン１６に到達するまでの抵抗が減るので、Ｒファンモータ１７の負荷が低減される。
【００３３】
上記実施例１〜４のそれぞれにおいては、キャビネット１の左側板と右側板と天板と後板のうち少なくとも１つの冷蔵室２内に面する部分を真空断熱パネルから構成し、キャビネット１のうち当該部分を除く残りの部分を真空断熱パネルとは異なる断熱材から構成しても良い。
【００３４】
本発明のいくつかの実施例を説明したが、これらの実施例は例として提示したものであり、発明の範囲を限定することは意図していない。これら新規な実施例はその他の様々な形態で実施されることが可能であり、上記した複数の実施例のうちの共通の箇所はそれぞれを発明の要旨を逸脱しない範囲で種々の省略、置き換え、変更を行うことができる。これら実施例やその変形は発明の範囲や要旨に含まれると共に特許請求の範囲に記載された発明とその均等の範囲に含まれる。
【符号の説明】
【００３５】
２は冷蔵室、８はＲ冷気ダクト（冷気ダクト）、９は幅広部、１０は幅狭部、１１は出口、１２は入口、１５はチルドケース（食品容器）、１６はＲファン（ファン）、１８はＲエバポレータ（冷却器）、３５はＲ冷気ダクト（冷気ダクト）、４１はＲエバカバー（冷却器カバー）、４３は入口（吸込口）、４９はＲ冷気ダクト（冷気ダクト）、５１は入口（吸込口）である。
【図１】
2015007496.tif 000003
【図２】
2015007496.tif 000004
【図３】
2015007496.tif 000005
【図４】
2015007496.tif 000006